(57)【要約】  【課題】スキャンした画像やパソコン上のデータを簡単に複数の他の装置に転送することができるネットワーク複合機を提供する。  【解決手段】ＰＣスキャン実行指示があると、このスキャン実行指示でグループ番号の指定があったか否かが判定される（ステップ102）。指定があった場合、プライベートボックスにこのグループ番号登録されていれば、原稿がスキャンされ、得られた画像データが符号化されてメモリに蓄積される（ステップ106、107）。そして、指定されたグループ番号が登録されているボックス名が指定された（ステップ108）後、指定されたボックスの転送可否設定が可であれば、メモリに蓄積された画像データが登録されているファイル形式に変換され、指定されたパソコンのフォルダに転送される（ステップ110、111）。  【選択図】図４
2006041655.tif 000002
【特許請求の範囲】
【請求項１】
グループ番号、転送先が登録される複数のボックスを備えた転送情報記憶手段と、画像読取手段と、画像蓄積手段と、画像記録手段と、上記各部を制御する制御手段とを備えた通信ネットワークに接続可能なネットワーク複合機であって、上記通信ネットワークに接続された外部装置からグループ番号を指定したスキャン実行指示があったとき、上記制御手段が上記画像読取手段によるスキャン画像を上記画像蓄積手段に蓄積し、この蓄積画像を指定されたグループ番号が登録されたボックスに設定された転送先に転送することを特徴とするネットワーク複合機。
【請求項２】
グループ番号、転送先が登録される複数のボックスを備えた転送情報記憶手段と、画像読取手段と、画像蓄積手段と、画像記録手段と、上記各部を制御する制御手段とを備えた通信ネットワークに接続可能なネットワーク複合機であって、上記通信ネットワークに接続された外部装置からグループ番号を指定したプリント実行指示があったとき、上記制御手段がプリント情報の符号化画像を上記画像蓄積手段に蓄積し、この蓄積画像を指定されたグループ番号が登録されたボックスに設定された転送先に転送することを特徴とするネットワーク複合機。
【請求項３】
請求項１または請求項２に記載されたネットワーク複合機において、上記転送情報記憶手段の各ボックスにファイル形式が登録され、画像を転送するとき、上記制御手段が上記蓄積画像を指定されたグループ番号が登録されたボックスに設定されているファイル形式に変換して転送することを特徴とするネットワーク複合機。
【請求項４】
請求項１または請求項２に記載されたネットワーク複合機において、上記転送情報記憶手段の各ボックスに画像転送の可否が登録され、スキャン実行指示あるいはプリント実行指示があったとき、指定されたグループ番号が登録されたボックスに転送可が設定されている場合のみ、上記制御手段が画像を転送先に転送することを特徴とするネットワーク複合機。
【請求項５】
請求項１〜請求項４のいずれかに記載されたネットワーク複合機において、上記転送情報記憶手段の各ボックスに転送通知メール送信先が登録され、画像を転送先に転送した場合に、上記制御手段が、指定されたグループ番号が登録されたボックスに設定されているメール送信先に、画像転送した旨及び転送先を含むメールを送信することを特徴とするネットワーク複合機。
【発明の詳細な説明】
【技術分野】
【０００１】
本発明はパーソナルコンピュータ（以下、パソコンという）などの外部装置とＬＡＮなどの通信ネットワークを介して接続され、コピー機能、プリント機能、ファクシミリ機能等を備えたネットワーク複合機に関する。
【背景技術】
【０００２】
ネットワーク複合機は、本来のコピー機能、ファクシミリ機能に加えて、通信ネットワークを介して接続されたパソコン等から送られる画像情報を他のファクシミリ装置へ送信する機能、その画像情報をプリントアウトするプリンタ機能及びメール送信機能を備えている。
【０００３】
このようなネットワーク複合機において、他のファクシミリ装置へパソコンからの画像情報を伝送する場合、パソコンからプリンタに送られるページ記述言語（ＰＤＬ）で表された画像データと宛先情報（送信相手先のファクシミリ番号）などが盛り込まれたＰＪＬデータとを通信データとしてパソコンから入力し、そのＰＤＬデータを送信相手先のファクシミリ装置の能力に応じたイメージデータに変換し、変換したイメージデータを送信することが一般的である。
【０００４】
また、メール送信する場合は、パソコンから受け取った画像データを電子メールに添付可能なファイル形式（例えば、ＴＩＦＦ形式ファイル）に変換して電子メール用の添付ファイルを作成し、作成した添付ファイルを電子メールに添付してインターネット上の宛先（ホスト装置）に送信している。
さらに、パソコンを使用して原稿をスキャンする場合は、原稿をネットワーク複合機にセットした後、パソコンが備えるスキャナ装置ユーティリティソフトを使用してスキャン実行を指示し、ネットワーク複合機により読み取られた画像データをパソコンに転送するようにしている。
【発明の開示】
【発明が解決しようとする課題】
【０００５】
ネットワーク複合機における原稿スキャンは上記のようにして行われるが、スキャンした画像を他のパソコンに送る場合には、スキャン画像をアプリケーションソフトウェアを使用してファイル形式を変換して一旦保存し、その後、メール等で他のパソコンに送信する必要があり、手間がかかるという問題があった。
【０００６】
一方、パソコンで使用するファイル形式には、様々なファイル形式の文書、画像が多数あり、このような複数のファイル形式に変換して他のパソコンに転送したい場合には、それぞれのファイル形式に対応するアプリケーションソフトウェアを用意する必要があるとともに、それぞれのアプリケーションソフトウェアの操作に習熟しなければ、簡単なファイル形式変換であっても、転送を行うことができなかった。
また、自機のパソコン上のデータを複数の他のパソコン等に送信したい場合には、複数のパソコン毎に転送作業を行わなければならず、時間と手間がかかるという問題もあった。
【０００７】
本発明は、上記の問題に鑑みてなされたもので、スキャンした画像やパソコン上のデータを、ユーザが複雑な操作を必要とすることなく、簡単にファイル形式変換を行って複数の他の装置に転送することができるネットワーク複合機を提供することを目的とする。
【課題を解決するための手段】
【０００８】
上述の目的を達成するため、請求項１に係る発明のネットワーク複合機は、グループ番号、転送先が登録される複数のボックスを備えた転送情報記憶手段と、画像読取手段と、画像蓄積手段と、画像記録手段と、上記各部を制御する制御手段とを備えた通信ネットワークに接続可能なネットワーク複合機であって、上記通信ネットワークに接続された外部装置からグループ番号を指定したスキャン実行指示があったとき、上記制御手段が上記画像読取手段によるスキャン画像を上記画像蓄積手段に蓄積し、この蓄積画像を指定されたグループ番号が登録されたボックスに設定された転送先に転送することを特徴とする。
【０００９】
また、請求項２に係る発明のネットワーク複合機は、グループ番号、転送先が登録される複数のボックスを備えた転送情報記憶手段と、画像読取手段と、画像蓄積手段と、画像記録手段と、上記各部を制御する制御手段とを備えた通信ネットワークに接続可能なネットワーク複合機であって、上記通信ネットワークに接続された外部装置からグループ番号を指定したプリント実行指示があったとき、上記制御手段がプリント情報の符号化画像を上記画像蓄積手段に蓄積し、この蓄積画像を指定されたグループ番号が登録されたボックスに設定された転送先に転送することを特徴とする。
【００１０】
さらに、請求項３に係る発明のネットワーク複合機は、請求項1または請求項２に記載されたネットワーク複合機において、上記転送情報記憶手段の各ボックスにファイル形式が登録され、画像を転送するとき、上記制御手段が上記蓄積画像を指定されたグループ番号が登録されたボックスに設定されているファイル形式に変換して転送することを特徴とする。
【００１１】
また、請求項４に係る発明のネットワーク複合機は、請求項1または請求項２に記載されたネットワーク複合機において、上記転送情報記憶手段の各ボックスに画像転送の可否が登録され、スキャン実行指示あるいはプリント実行指示があったとき、指定されたグループ番号が登録されたボックスに転送可が設定されている場合のみ、上記制御手段が画像を転送先に転送することを特徴とする。
【００１２】
さらに、請求項５に係る発明のネットワーク複合機は、請求項１〜請求項４のいずれかに記載されたネットワーク複合機において、上記転送情報記憶手段の各ボックスに転送通知メール送信先が登録され、画像を転送先に転送した場合に、上記制御手段が、指定されたグループ番号が登録されたボックスに設定されているメール送信先に、画像転送した旨及び転送先を含むメールを送信することを特徴とする。
【発明の効果】
【００１３】
請求項１または請求項２に係る発明のネットワーク複合機によれば、グループ番号を指定してスキャン実行またはプリント実行を指示すれば、スキャン画像あるいはプリント情報が登録されている転送先に転送されるので、複数の転送先にスキャン画像またはパソコン上のデータを容易に転送することができる。
【００１４】
また、請求項３に係る発明のネットワーク複合機によれば、グループ番号を指定してスキャン実行またはプリント実行を指示すれば、スキャン画像あるいはプリント情報が登録されているファイル形式に変換されて、転送先に転送されるので、ファイル形式変換のためのアプリケーションソフトを必要とすることなく、複数の転送先にデータを所望のファイル形式に変換して転送することが可能となる。
【００１５】
また、請求項４に係る発明のネットワーク複合機によれば、グループ番号が登録されたボックスに転送可が設定されていない場合には、画像が転送先に転送されず、続けてスキャン実行またはプリント実行を指示すれば、複数のスキャン画像あるいは複数の異なるアプリケーションソフトのデータを続けて蓄積することができるので、蓄積が完了した段階でそのグループ番号のボックスを転送可に設定変更することにより複数の画像データを１ジョブとして転送先に転送することが可能となる。
【００１６】
さらに、請求項５に係る発明のネットワーク複合機によれば、画像が転送先に転送された場合に、所定のメール送信先に、画像転送した旨及び転送先を含むメールが送信されるので、転送先のユーザが、転送があったこと及び転送先、例えばフォルダ名等を容易に認識することができる。
【実施例】
【００１７】
以下、本発明のネットワーク複合機の実施例について、図面を用いて説明する。図１はネットワーク複合機を備えたシステムのネットワーク構成例を示す図であり、図２はネットワーク複合機のハードウェア構成を示すブロック図である。
【００１８】
図１に示すネットワーク構成図において、１はネットワーク複合機、２、３、４・・・はパソコン、５は公衆交換電話網（ＰＳＴＮ）、６はＬＡＮ（Local Area Network）、７はインターネット網である。ネットワーク複合機１はコピーモード、プリンタモード、ファクスモードの各機能を備えるとともに、メール送信機能も備え、ＰＳＴＮ５及びＬＡＮ６に接続されており、このＬＡＮ６に複数のパソコン２、３、４・・・が接続されている。また、このＬＡＮ６はインターネット網７にも接続されており、ネットワーク複合機１はこのインターネット網７を介してメールの送受信を行うことが可能である。
【００１９】
図２はネットワーク複合機１の制御系の構成を示す概略ブロック図であり、図に示すように、ネットワーク複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０及びＬＡＮインターフェース（Ｉ／Ｆ）２１から構成され、各部がバス２２を介して接続されている。
【００２０】
ＣＰＵ１１はバス２２を介してネットワーク複合機１のハードウェア各部を制御するとともに、ＲＯＭ１２に記憶されたプログラムに基づいて各種のプログラムを実行し、ＲＯＭ１２はネットワーク複合機の動作に必要な種々のプログラムや操作メッセージ等を予め記憶している。また、ＲＡＭ１３はＳＲＡＭ等で構成され、プログラムの実行時に発生する一時的なデータを記憶するとともに、グループ番号、ファイル転送先としてのホスト名及びフォルダ名、変換ファイル形式、転送可否情報及びメールアドレスが登録されるボックスを記憶する、転送情報記憶手段としてのプライベートボックス記憶領域２３を有している。
【００２１】
表示・操作部１４は、ネットワーク複合機の動作状態を表示したり、種々の機能の操作画面の表示を行う表示部と、ネットワーク複合機を操作するための多数の操作キーとから構成されている。読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力する。
【００２２】
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトする。
【００２３】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２４】
モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２５】
また、ＬＡＮインターフェース２１はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２６】
ネットワーク複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。
【００２７】
一方、上記のプライベートボックス記憶領域２３の各プライベートボックスは、図３に示すように、ボックス名、グループ番号、転送先ホスト名、転送先フォルダ名、変換ファイル形式、転送可否情報、メールアドレスを記憶する領域を備えており、表示・操作部１４の表示部に表示されるプライベートボックス登録画面からユーザが入力することにより、あるいは、外部のパソコン等の操作画面から入力することにより、それぞれの設定をＲＡＭ１３に登録することができる。
【００２８】
そして、パソコン２等からグループ番号を指定してＰＣスキャンを実行すると、スキャン画像データがネットワーク複合機により所望のファイル形式に変換されて、複数の転送先に転送することが可能である。
以下、グループ番号を指定してＰＣスキャンを実行した場合のネットワーク複合機１の作用を図４のフローチャートにより説明する。
【００２９】
ネットワーク複合機１のＣＰＵ１１は、常時、図４に示すＰＣスキャンプログラムを実行しており、このプログラムを開始すると、まず、ＬＡＮ  Ｉ／Ｆ２１を介してパソコン２等からスキャン実行指示があったか否かを判定する（ステップ１０１）。例えば、パソコン２からスキャン実行指示があった場合には、ＣＰＵ１１はスキャン実行指示でグループ番号の指定があったか否かの判定を行う（ステップ１０２）。
なお、上記のグループ番号を指定したＰＣスキャンの実行は、例えば、図５に示すような、パソコンの表示画面に表示されるスキャン指示画面において、グループ番号指定欄の「有」をクリックし、「番号」欄に数字を入力することにより行うことができる。
【００３０】
ステップ１０２において、グループ番号指定がないと判定した場合には、ＣＰＵ１１は通常のスキャン処理を行う（ステップ１０３）。一方、ステップ１０２において、例えば、グループ番号１の指定があったと判定した場合には、ＣＰＵ１１は、プライベートボックスに指定されたグループ番号があるか否か、そのボックスに転送先ホスト名、転送先フォルダ名が登録されているか否かを判定する（ステップ１０４）。そして、グループ番号あるいは転送先ホスト名、転送先フォルダ名が登録されていないと判定した場合には、ＣＰＵ１１は「グループ番号が登録されていません。」等のエラーメッセージをパソコン２に返送するエラー処理を行う（ステップ１０５）。
【００３１】
一方、ステップ１０４において、グループ番号、転送先ホスト名、転送先フォルダ名が登録されていると判定した場合には、ＣＰＵ１１は読取部１５によりセットされた原稿をスキャンし、得られたイメージデータをコーデック１８によりＭＭＲ符号化した（ステップ１０６）後、画像メモリ１６に蓄積する（ステップ１０７）。
【００３２】
次に、ＣＰＵ１１は指定されたグループ番号１が登録されているボックスを検索し、グループ番号１が登録されたボックスの一つのボックス名、例えば、「Ａ」を指定した（ステップ１０８）後、指定したボックス「Ａ」の転送可否欄がＯＮになっているか否かを判定し（ステップ１０９）、転送可否欄がＯＦＦであると判定した場合には、ステップ１０１に戻る。
【００３３】
一方、ステップ１０９において、ボックス「Ａ」の転送可否欄がＯＮになっていると判定した場合には、ＣＰＵ１１は画像メモリ１６に蓄積された符号化データをそのボックスの形式欄に登録されているファイル形式、例えば、ＴＩＦＦ形式に変換処理した（ステップ１１０）後、パソコン３のフォルダ「\\PC3\document」にＬＡＮ  Ｉ／Ｆ２１、ＬＡＮ６を介して転送する（ステップ１１１）。
【００３４】
次に、ＣＰＵ１１はファイルを転送した旨、及び転送先のフォルダ名を記入したメールを作成し、ボックス「Ａ」のメールアドレス欄に登録されたアドレスにＬＡＮ  Ｉ／Ｆ２１、ＬＡＮ６を介してメールを送信する（ステップ１１２）。このメールにより、スキャン画像の転送を受けたユーザは転送があったことを知るとともに、転送先のフォルダ名を認識することができるので、転送されたファイルに容易にアクセスすることが可能となる。
【００３５】
メール送信が完了すると、ＣＰＵ１１はグループ番号１が登録されたボックスが残っていないか検索し（ステップ１１３）、残っている場合には、次のボックス名を指定した（ステップ１１４）後、ステップ１０９に戻り、そのボックスの処理を実行する。また、ステップ１１３において、グループ番号１が登録されたボックスが残っていないと判定した場合には、ＣＰＵ１１はプログラムを終了する。
【００３６】
以上のように、パソコンからグループ番号を指定してＰＣスキャンの実行を指示することにより、スキャン画像を所望のファイル形式に変換して複数の転送先に転送することができる。
この場合、上記のように、グループ番号１が登録されたボックスの転送可否欄がＯＦＦになっている状態で同じグループ番号１を指定して再度ＰＣスキャン実行を指示した場合には、画像メモリの先のスキャン画像に続けて今回のスキャン画像が蓄積されて１ジョブの画像ファイルが作成されるので、最後のＰＣスキャン実行指示の前に、パソコン又は表示・操作部１４の操作画面からグループ番号１が登録されたプライベートボックスの転送可否欄をＯＮに変更することにより、複数のスキャン画像を１ジョブのデータとして転送することができる。
【００３７】
上記の実施例では、パソコンからグループ番号を指定してＰＣスキャンを実行することにより、スキャン画像を転送先に転送したが、パソコンからグループ番号を指定してＰＣプリントの実行を指示することにより、プリント指示された画像データをネットワーク複合機により所望のファイル形式に変換して複数の転送先に転送することも可能である。
以下、グループ番号を指定してＰＣプリントを実行した場合のネットワーク複合機１の作用を図６のフローチャートにより説明する。
【００３８】
ネットワーク複合機１のＣＰＵ１１は、上記と同様に、常時、図６に示すＰＣプリントプログラムを実行しており、このプログラムを開始すると、まず、ＬＡＮ  Ｉ／Ｆ２１を介してパソコン２等からプリント実行指示があったか否かを判定する（ステップ２０１）。例えば、パソコン３からプリント実行指示があった場合には、ＣＰＵ１１はこのプリント実行指示でグループ番号の指定があったか否かの判定を行う（ステップ２０２）。
なお、上記のグループ番号を指定したＰＣプリント実行の指示は、例えば、図７に示すような、パソコンの表示画面に表示される印刷指定画面でオプションをクリックし、表示されたオプション画面でグループ番号を入力することによって行うようにすることが可能である。
【００３９】
ステップ２０２において、グループ番号指定がないと判定した場合には、ＣＰＵ１１は通常のプリント処理を行う（ステップ２０３）。一方、ステップ２０２において、例えば、グループ番号２の指定があったと判定した場合には、ＣＰＵ１１は、プライベートボックスに指定されたグループ番号２があるか否か、そのボックスに転送先ホスト名、転送先フォルダ名が登録されているか否かを判定する（ステップ２０４）。そして、グループ番号あるいは転送先ホスト名、転送先フォルダ名が登録されていないと判定した場合には、ＣＰＵ１１は「グループ番号が登録されていません。」等のエラーメッセージをパソコン３に返送するエラー処理を行う（ステップ２０５）。
【００４０】
一方、ステップ２０４において、グループ番号、転送先ホスト名、転送先フォルダ名が登録されていると判定した場合には、ＣＰＵ１１はパソコン３から受信したページ記述言語で表された画像情報（ＰＤＬデータ）をラスタライズ処理してイメージデータを作成し、作成したイメージデータをコーデック１８によりＭＭＲ符号化した（ステップ２０６）後、画像メモリ１６に蓄積する（ステップ２０７）。
【００４１】
次に、ＣＰＵ１１は指定されたグループ番号２が登録されているボックスを検索し、グループ番号２が登録されたボックスの一つのボックス名、例えば、「Ｃ」を指定する（ステップ２０８）。次に、画像メモリ１６に記憶された画像データの転送処理を行うが、以下の作用は図４のフローチャートのステップ１０９〜１１４の作用と同じであるので、詳細な説明を省略する。
【００４２】
以上のように、パソコンからグループ番号を指定してＰＣプリント実行を指示することにより、プリント情報を所望のファイル形式に変換して複数の転送先に転送することができるが、上記のＰＣスキャンの場合と同様に、グループ番号２が登録されたボックスの転送可否欄がＯＦＦになっている状態で同じグループ番号２を指定して再度ＰＣプリントの実行指示を行った場合には、画像メモリの先のプリント情報の画像に続けて今回のプリント情報の画像が蓄積されて１ジョブの画像ファイルが作成されるので、最後のＰＣプリント実行指示の前に、グループ番号２が登録されたボックスの転送可否欄をオンに変更すれば、複数のプリント情報の画像を１ジョブのデータとして転送することができる。
したがって、例えば、ワープロソフトデータのプリント実行指示を行い、続けて表計算ソフトデータのプリント実行指示を行えば、両方のデータを１ジョブとして複数のパソコンに転送することができる。
【００４３】
なお、上記の実施例では、プライベートボックスに転送可否欄を設け、転送可否欄にＯＮが登録されているときのみ、画像の転送を行うようにしたが、転送可否欄を省略し、グループ番号を指定したＰＣスキャンまたはＰＣプリントの実行指示があれば、直ちに画像をファイル変換処理して転送するようにすることもでき、また、別途パソコンまたはネットワーク複合機からの操作により画像転送が指示されたときに、画像転送を行うようにすることも可能である。
【００４４】
また、上記の実施例では、プライベートボックスに登録する画像ファイル形式として、ＴＩＦＦ、ＰＤＦ、Ｇ３を例として挙げたが、その他の様々なファイル形式を登録することも可能であり、また、プライベートボックスに画像ファイル形式欄を設けず、画像転送を行う場合は、所定のファイル形式、例えばＴＩＦＦ形式に変換して転送を行うようにすることもできる。
【００４５】
さらに、上記の実施例では、画像転送をメールで知らせるようにしたが、メールで知らせる必要性が少なければ、メール通知を省略することも可能である。
また、上記の実施例ではスキャン画像あるいはプリント情報をＭＭＲ方式により符号化して画像メモリに記憶したが、その他の符号化方式、例えばＭＨまたはＭＲ方式により符号化することもできる。
【図面の簡単な説明】
【００４６】
【図１】ネットワーク複合機を備えたシステムのネットワーク構成例を示す図である。
【図２】本発明のネットワーク複合機のハードウェア構成を示すブロック図である。
【図３】プライベートボックスに登録される情報を示す図である。
【図４】ＰＣスキャンを実行した場合の作用を示すフローチャートである。
【図５】ＰＣスキャン実行時のスキャン指示画面の一例を示す図である。
【図６】ＰＣプリントを実行した場合の作用を示すフローチャートである。
【図７】ＰＣプリント実行時の印刷指定画面の一例を示す図である。
【符号の説明】
【００４７】
１  ネットワーク複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
２３  プライベートボックス記憶領域
【図１】
2006041655.tif 000003
【図２】
2006041655.tif 000004
【図３】
2006041655.tif 000005
【図４】
2006041655.tif 000006
【図５】
2006041655.tif 000007
【図６】
2006041655.tif 000008
【図７】
2006041655.tif 000009